(57)【要約】【課題】アンジレーションを自在に変化させる事の出来る人工芝グリーンと小スペースの打撃ブースの床面を提供する。【解決手段】グリーンや打撃ブースの床面を１面の地面や１枚の板面では無く、小平面の連続面として捉え、小平面である円及び三角以上の角を有する多角平板をコンクリート打設時に使う支保工や上下バリカーの様な支柱で支え、平板を総てルーズに接続して、グリーン面に起伏を齎す昇降装置の付いた支柱を駆動柱ユニットとし、間で駆動柱に連動して動く支柱を可動柱としアンジレーションを自在に変化させるグリーンとした。【選択図】図１
2013236889.tif 000002
【特許請求の範囲】
【請求項１】
昇降装置を備えた駆動支柱、と可動支柱に支えられた、連続小平面で有る円又は三角以上の角を有する多角平板を上下させて作る、起伏を自在に変化させる事の出来る路盤機構。
【発明の詳細な説明】
【技術分野】
【０００１】  本発明はパット練習グリーンや、練習場等の打撃ブースの床面の起伏等の上下を自在に変化させる事の出来る、人工芝ゴルフグリーン及びブースの床面等を実現させようとしたものである。
【背景技術】
【０００２】  従来は、ゴルフグリーンは地面に芝生を植えたり、人工物の上に人工芝を敷いたゴルフグリーンの固定された物しか無かった、又打撃ブースに於いても片脚ずつ上下させたり、床面全面を傾斜させる物は有っても、自在に変化させる物は無かった。
【先行技術文献】
【特許文献】
【０００３】
【特許文献１】特開２００５−３２８９９４号公報
【特許文献２】特開２００１−１７５９６号公報
【特許文献３】特開平１０−１４６４１３号公報
【特許文献４】特開平７−８０１０８号公報
【特許文献５】特開平６−３２７８０１号公報
【特許文献６】特開平６−１７００２３号公報
【特許文献７】特開平５−２６９２３３号公報
【特許文献８】特開平５−２４５２４０号公報
【特許文献９】実開平６−１３８７５号公報
【特許文献１０】実開平５−９１７４８号公報
【特許文献１１】実開平５−２４０７５号公報
【特許文献１２】登録実用新案第３１２６６９９号公報
【特許文献１３】登録実用新案第３１０９３９８号公報
【特許文献１４】登録実用新案第３０８４５９７号公報
【特許文献１５】登録実用新案第３００８２０７号公報
【発明の概要】
【発明が解決しようとする課題】
【０００４】  誰しもテレビ中継等で全世界の有名ゴルフ場の難易度の高いロングパットを、有名プロがカップインする所等を見れば、感嘆をきんじえないので有り、出来れば自分も同じ様に打ってみたい、其のグリーンで練習したいと思うもので有るが、実際問題として全世界のゴルフ場を回る事等、普通の人には出来ない、何処かに似せたグリーンが在ったとしても、其れも唯１パターンのグリーンでしかない、其れは従来ゴルフグリーンとは地面の上に芝生を植えたグリーンであり、人工物の上に敷いた人工芝グリーンの様な其の場所で、其の起伏で固定されたゴルフグリーンしかなかった為で有る、だから誰しも諦めてテレビ中継を見ているのである。
又、打撃練習のブースに於いても、通常は平らな床面での練習場であり、様々な場面を想定した上記特許文献の様な練習具が出願されているが、上記特許文献３にあってはティグランドの自在化のみであり、特許文献７にあっては打席床面全面とティグランドを別々に動かすだけの物であり、其の外の特許文献にあっては打席床面全面を傾斜させるものである。
是等は単に平らな床面を傾斜させるだけの物であり、実際のコースの様な左右違う傾斜であったり、ボール位置が足場位置より上下している等の様々な場面に対応出来ていなかった。
【課題を解決するための手段】
【０００５】  そこで本発明にあっては、上記課題を解決するため、１面の地面、１枚の床面ではなく、小さな平面の連続面と、とらえ、其の連続小平面を其々上下させて起伏自在なゴルフグリーン及びブース床面となす為に、其々の小平面と、其れを支える機構部を１つのユニットとし、連続小平面で在る円、及び、三角以上の角を有する平板（１０）の任意の位置に、其のグリーンに起伏を与える、機械的な、或は油圧ピストン等の昇降装置の駆動支柱ユニット（図３）を配置し、其の間に駆動支柱に連動して動き間の平板を支えて連動して動ける支柱を配置し可動支柱ユニット（図４）とし、各平板を固定では無く動ける様にルーズに接続して起伏自在な路面機構のゴルフグリーンと、打撃ブースを形成させた。
【発明の効果】
【０００６】  起伏自在なゴルフグリーンが出現する事によりテレビ中継で見たコースのグリーンではないが、同じ様なアンジレーションのゴルフグリーンが身近のゴルフ練習場に設置されれば一搬人も手軽に体験出来、練習も出来る。
本発明の駆動柱の制御をコンピューター制御として、コンピューターに世界中の有名コースのグリーンデーターを入力すれば居ながらにして世界の有名グリーンを体験出来る、又グリーン面を自在に変化させられるので、馬の背グリーンで在るとか、すり鉢グリーンで在るとか、２段グリーン等の様々な設定を実現させる事が出来、様々なアンジレーションのパット練習が出来る、しかもライン読みの練習にもなる。
起伏自在な打撃ブース床面が出現する事により左右の足とボール廻りを其々別々の設定で打撃練習出来て、又端のカップ蓋を外しカップキットをセットすれば、ミニグリーンと成って、パット練習も出来る。
【図面の簡単な説明】
【０００７】
【図１】  本発明のゴルフグリーン施工図である。
【図２】  本発明の平板とカップ蓋の関係断面図である。
【図３】  本発明の駆動柱ユニットの上部支柱の斜視図である。
【図４】  本発明の可動柱ユニットの上部支柱の斜視図である。
【図５】  本発明の打撃ブース施工図である。
【図６】  本発明の可動柱に供されるパイプ式自在継手の斜視図である。
【図７】  本発明のルーズ接続金物の側面図である。
【図８】  本発明のルーズ接続金物の斜め上方からの斜視図である。
【図９】  本発明のカップキットの断面図である。
【図１０】  本発明のカップキットのセット位置を示す。
【図１１】  本発明の液圧首ふり部の機能部の関係図である。
【図１２】  本発明に供される多角平板の１例である。
【図１３】  本発明の駆動柱ユニットの配置の１例である
【図１４】  本発明の駆動柱ユニットの配置の１例である
【発明を実施するための形態】
【０００８】  以下、本発明の実施の形態について、図面を参照しつつ詳細に説明すれば、本発明品は屋外設置、又は雨水の掛る場所での設置が主とし防錆効果の高い非鉄金属で製造する。
図１は、本発明の大規模施設ゴルフグリーンの施工例を表すが、予備状況は記していない、まず施工位置を２ｍ以上掘削し作業逃げ場所と排水設備の有るコンクリートのプールの様な設備を作りその底部にコンクリートの深さの半分強の共用下部支柱（１）をアンカーで固定する、作業逃げ場所前を最後に全面に共用下部支柱（１）を立てる、下部支柱（１）の上部分の頭部が突出する様、ブレ防止中間板（２）を取り付け、数か所を溶接等で固定する。
ブレ防止中間板（２）から突出した共用下部支柱（１）の上に駆動柱ユニット立柱予定の所には、ウォームギア（３）とウォームギア用モーター（４）を取り付けた駆動柱用ガイドレール（５）を取り付ける。
可動柱ユニット立柱予定の所にはベルト式可動柱ストッパー（７）と可動柱ストッパー用モーター（８）を取り付けた可動柱用ガイドレール（９）を取り付ける。
此の時外周の立ち上がりコンクリートから１ｍ幅程を、グリーンのアプローチと、する為に全てに可動柱ユニットを配置し、其の内側から計画された各ユニットのガイドレールを設置する。
駆動柱ウォームギア用モーター（４）と可動柱ストッパー用モーター（８）の電源配線を作業逃げ場に向け中間板上（２）に配線すると共に各ユニットの液圧式首ふり部の液誘導バルブ用モーター（２３）の配線を、各ガイドレール直下の端部にメス型接続端子を付け作業逃げ場に向け配線する。
全駆動柱ユニット図３の上部支柱と全可動柱ユニット図４の上部支柱の上方に台座（１８）を設け上部支柱の外周の４方向に、液圧式首ふり機構の、シリンダー（１９）の底部を固定し、半分迄液を充填したピストン（２０）を平板（１０）の底に固定し、各シリンダーから４個口液誘導用バルブ（２１）に、ホースで接続する。
接続ホースの１本を３又にしてカップ挿入穴から出せる様にして、その先端に液量調整用バルブ（２２）を取り付ける。
各ユニットの上部支柱を其々のガイドレールに挿入する。
液誘導用バルブ（２１）の作動用モーターの配線は伸縮自在な螺旋状線として、その先端にオス型接続端子を付け、直下のメス型接続端子に接続する。
各ユニットの平板（１０）を作業逃げ場所前を最後に順次隣接する平板とルーズ接続金物（図７、図８）を用いて接続する。
作業時全駆動柱を同一レベルに組み立て、全平板（１０）が同一レベルに成る様に全ユニットを接続する。
組立後、高い、低い、等の調整は全駆動柱を同じ高さにしてから、全可動柱のベルト式可動柱ストッパー（７）を締め、可動柱を固定して、全液圧式首ふり部の４個口液誘導用バルブ（２１）を、開放して低い平板には、液量調整用バルブ（２２）から液注入して高さを調整する、高い平板からは液を抜き高さを調整して全平板のレベルを一定にして、施設の外周一列の平板をコンクリート擁壁（１１）の天端に非鉄金属の外周板（１２）を用いてアンカーや溶接で固定して、起伏自在式路面機構の下地で有る路盤が完成する。
完成した路盤の上に全平板のカップ挿入穴より大きい人工芝付蓋（１４）と同じカップの大きさに穿孔された人工芝を敷き、全穴を人工芝付蓋（１４）で塞ぎ、設定の、或は任意の場所の挿入穴にカップキット（図１０）を挿入して本発明の起伏自在式路面機構の人工芝ゴルフグリーンが完成する。
図５は本発明の小規模施設の打撃ブース床面の施工例を表すが、打撃ブース用は、大規模施設の様な深さも無く、ブレも無い、共用下部支柱（１）を用いても良いが、通常は施工深さ中間に各上部支柱を挿入出来る穴を穿孔した非鉄金属の分厚い基板（２７）を用い其の上に各ユニットを取り付ける。
本発明の実用に際しては、全平板の首ふり機構の液誘導用バルブ（２１）を開放し、全可動柱の可動柱ストッパー（７）を開放してから、全駆動柱をルーズ接続金物（図７、図８）の脱落防止ピン（２６）を限度に上下させる。
全駆動柱が設定の、或は任意の高さに達すると、其れに従い、全可動柱の平板（１０）も上下し、吊られている可動支柱も上下する、其の時全平板の下の首ふり機構部のシリンダー（１９）内の液が、各液誘導用バルブ（２１）内で流動して其々の高さに４つのピストン（２０）を押し上げ、引下げする。
全平板の高さ、傾斜が定まってから、全可動柱ストッパー（７）を締めて、全液誘導用バルブ（２１）も閉じて全平板を其の高さ其の傾斜に固定し、設定の、或は任意の位置の人工芝付蓋（１４）を外し、其処にカップキット（図１０）を挿入して、本発明の起伏自在式路面機構の人工芝ゴルフブースが完成する。
【符号の説明】
【０００９】１  共用下部支柱
２  ブレ防止中間板
３  ウォームギア
４  ウォームギア用モーター
５  駆動柱用ガイドレール
６  ウォームホイールギア
７  ベルト式可動柱ストッパー
８  可動柱ストッパー用モーター
９  可動柱用ガイドレール
１０  平板
１１  コンクリート擁壁
１２  外周板
１３  排水設備
１４  人工芝付蓋
１５  金属蓋
１６  ゴムラバー
１７  人工芝付ラバー
１８  台座
１９  シリンダー
２０  ピストン
２１  液誘導バルブ
２２  液量調整バルブ
２３  液誘導バルブ用モーター
２４  Ｉ字バーストッパー
２５  Ｕ字サドルストッパー
２６  脱落防止ピン
２７  基板
２８  台座取付け部
２９  平板取付け部
【図１】
2013236889.tif 000003
【図２】
2013236889.tif 000004
【図３】
2013236889.tif 000005
【図４】
2013236889.tif 000006
【図５】
2013236889.tif 000007
【図６】
2013236889.tif 000008
【図７】
2013236889.tif 000009
【図８】
2013236889.tif 000010
【図９】
2013236889.tif 000011
【図１０】
2013236889.tif 000012
【図１１】
2013236889.tif 000013
【図１２】
2013236889.tif 000014
【図１３】
2013236889.tif 000015
【図１４】
2013236889.tif 000016